(57)【特許請求の範囲】
【請求項１】
内周面に外輪軌道面が形成される外輪と、
外周面に内輪軌道面が形成される内輪と、
前記外輪軌道面と前記内輪軌道面との間に転動自在に配置される複数の円筒ころと、
環状の一対のリム部及び該一対のリム部を軸方向に連結する複数の柱部を有し、前記複数の円筒ころを回転自在にそれぞれ保持する複数のポケットを形成する保持器と、
を備える円筒ころ軸受であって、
前記保持器は、前記ポケットの外径側開口を形成する、隣り合う前記柱部の各円周方向端部に、前記円筒ころを前記ポケット内に挿入する際に弾性変形すると共に、前記円筒ころの脱落を防止するころ係止部を有し、
前記保持器は、少なくとも３箇所の前記柱部の外周面で、且つ、前記柱部の円周方向両端部の各ころ係止部間に、前記リム部の外周面より径方向に突出する案内部を有し、該案内部により軌道輪案内され、
前記案内部の外周面は、前記保持器の中心を曲率中心とした円弧面に沿って形成されており、
前記各ころ係止部は、前記案内部から離間した位置で、前記リム部の外周面から径方向に突出して形成されていることを特徴とする円筒ころ軸受。
【請求項２】
内周面に外輪軌道面が形成される外輪と、
外周面に内輪軌道面が形成される内輪と、
前記外輪軌道面と前記内輪軌道面との間に転動自在に配置される複数の円筒ころと、
環状の一対のリム部及び該一対のリム部を軸方向に連結する複数の柱部を有し、前記複数の円筒ころを回転自在にそれぞれ保持する複数のポケットを形成する保持器と、
を備える円筒ころ軸受であって、
前記保持器は、前記ポケットの外径側開口を形成する、隣り合う前記柱部の各円周方向端部に、前記円筒ころを前記ポケット内に挿入する際に弾性変形すると共に、前記円筒ころの脱落を防止するころ係止部を有し、
前記保持器は、少なくとも３箇所の前記柱部の外周面で、且つ、前記柱部の円周方向両端部の各ころ係止部間に、前記リム部の外周面より径方向に突出する案内部を有し、該案内部により軌道輪案内され、
前記案内部の軸方向幅は、前記ポケットの軸方向幅以下に設定され、
前記案内部と前記各ころ係止部との間の前記柱部の外周面には、前記案内部の軸方向幅より小さい軸方向幅を有する凹部が形成され、且つ、
前記凹部のポケット側端部が円周方向においてポケット口元部と同一線上か、あるいは同一線状を越えて前記ポケットまで形成されていることを特徴とする円筒ころ軸受。
【請求項３】
主軸が請求項１又は２に記載の円筒ころ軸受により回動自在に支持されることを特徴とする工作機械用主軸装置。 
【発明の詳細な説明】
【技術分野】
【０００１】
本発明は、円筒ころ軸受及び工作機械用主軸装置に関し、より詳細には、高速回転する工作機械の主軸や高速モータ等に用いられる円筒ころ軸受及びそれを用いた工作機械用主軸装置に関する。
【背景技術】
【０００２】
例えば、マシニングセンタ、ＣＮＣ旋盤、フライス盤等の工作機械の主軸装置は、ワークの加工効率や精度を高める等の理由から高速回転で運転される傾向が顕著である。
【０００３】
一般に、工作機械の主軸装置において、主軸は、前側及び後側にそれぞれ配置された転がり軸受でハウジングに対して回転自在に支持され、通常、前側の転がり軸受は主軸の軸方向変位を許容しない構造とされ（固定側）、後側の転がり軸受は運転時の熱による主軸の軸方向膨張量を吸収し又は逃がすため、主軸の軸方向変位を許容できる構造とされる（自由側）。
【０００４】
主軸の自由側で支持する転がり軸受としては、円筒ころ軸受が使用されている。円筒ころ軸受１０１としては、例えば、図１１に示すように、外輪１０２と内輪１０３との間に配置される複数の円筒ころ１０４を保持する保持器１０５が、柱部１０５ｂの外周面よりも突出する一対のリム部１０５ａの外周面を案内部１０６として、外輪案内されている。
【０００５】
また、図１２に示すように、ポケット１０５ｃの外径側開口を形成する、隣り合う柱部１０５ｂの各円周方向端部は、円筒ころ１０４の脱落を防止するころ係止部１０５ｂ１を有する。ころ係止部１０５ｂ１は、円筒ころ１０４をポケット１０５ｃ内に挿入する際に弾性変形を許容するように形成されている。
【０００６】
また、主軸装置においては、転がり軸受は、使用条件等に応じて、オイルミスト潤滑、オイルエア潤滑、直噴潤滑、ジェット潤滑、グリース潤滑などの潤滑方式によって潤滑される。
【０００７】
また、グリース等の潤滑剤では潤滑性を確保できないような高温・高圧下で使用される軸受として、潤滑材料で保持器を構成し、該保持器が軌道輪の軌道面に接触案内する案内部を有するもの（例えば、特許文献１参照。）や、保持器の外周面に形成された凹部に固体潤滑剤を配置し、固体潤滑剤を軌道面に摺接させたものが知られている（例えば、特許文献２参照。）。さらに、円弧状の複数の保持器素子を円周方向に直列に組み合わせる事により構成される分割型保持器において、柱部の一部に案内部を設けたものが開示されている（例えば、特許文献３参照。）。
【先行技術文献】
【特許文献】
【０００８】
【特許文献１】特開平９−４９５２５号公報
【特許文献２】特開２００３−２３９９９３号公報
【特許文献３】特開２００９−９７５２５号公報
【発明の開示】
【発明が解決しようとする課題】
【０００９】
ところで、主軸を支持する転がり軸受において、軸受内部でのグリースの排出性が悪いと、軸受内部が潤滑剤過多の状態となり、攪拌熱によって異常昇温や温度の脈動が発生する。そのため、軸受温度が上昇すると、転がり軸受が破損する可能性がある。特に、円筒ころ軸受の場合、内輪軌道面及び外輪軌道面と円筒ころとの転がり接触部は線接触するため、点接触の玉軸受に比べて昇温しやすい。
【００１０】
さらに、円筒ころ軸受をグリース潤滑する場合、封入されたグリースを軸受内部に均等に分散させたり、或いは余剰グリースを軸受周辺部に移動させる、所謂、ならし運転が不可欠である。
【００１１】
このため、図１１及び図１２に示すような外輪案内保持器を有する円筒ころ軸受の場合には、保持器の案内面と外輪軌道面との間のすきまが狭いため、グリースが排出されにくい傾向があり、また、グリースのならし運転に時間がかかる。
【００１２】
本発明は、上記事情に鑑みてなされたものであり、その目的は、保持器のポケット内への円筒ころの挿入性を確保しつつ、潤滑剤の排出をスムーズに行うことができ、異常昇温や温度の脈動を抑制することができる円筒ころ軸受、及びそれを用いた工作機械用主軸装置を提供することにある。
【課題を解決するための手段】
【００１３】
本発明の上記目的は、下記の構成により達成される。
（１）  内周面に外輪軌道面が形成される外輪と、
外周面に内輪軌道面が形成される内輪と、
前記外輪軌道面と前記内輪軌道面との間に転動自在に配置される複数の円筒ころと、
環状の一対のリム部及び該一対のリム部を軸方向に連結する複数の柱部を有し、前記複数の円筒ころを回転自在にそれぞれ保持する複数のポケットを形成する保持器と、
を備える円筒ころ軸受であって、
前記保持器は、前記ポケットの外径側開口を形成する、隣り合う前記柱部の各円周方向端部に、前記円筒ころを前記ポケット内に挿入する際に弾性変形すると共に、前記円筒ころの脱落を防止するころ係止部を有し、
前記保持器は、少なくとも３箇所の前記柱部の外周面で、且つ、前記柱部の円周方向両端部の各ころ係止部間に、前記リム部の外周面より径方向に突出する案内部を有し、該案内部により軌道輪案内され、
前記案内部の外周面は、前記保持器の中心を曲率中心とした円弧面に沿って形成されており、
前記各ころ係止部は、前記案内部から離間した位置で、前記リム部の外周面から径方向に突出して形成されていることを特徴とする円筒ころ軸受。
（２）  内周面に外輪軌道面が形成される外輪と、
外周面に内輪軌道面が形成される内輪と、
前記外輪軌道面と前記内輪軌道面との間に転動自在に配置される複数の円筒ころと、
環状の一対のリム部及び該一対のリム部を軸方向に連結する複数の柱部を有し、前記複数の円筒ころを回転自在にそれぞれ保持する複数のポケットを形成する保持器と、
を備える円筒ころ軸受であって、
前記保持器は、前記ポケットの外径側開口を形成する、隣り合う前記柱部の各円周方向端部に、前記円筒ころを前記ポケット内に挿入する際に弾性変形すると共に、前記円筒ころの脱落を防止するころ係止部を有し、
前記保持器は、少なくとも３箇所の前記柱部の外周面で、且つ、前記柱部の円周方向両端部の各ころ係止部間に、前記リム部の外周面より径方向に突出する案内部を有し、該案内部により軌道輪案内され、
前記案内部の軸方向幅は、前記ポケットの軸方向幅以下に設定され、
前記案内部と前記各ころ係止部との間の前記柱部の外周面には、前記案内部の軸方向幅より小さい軸方向幅を有する凹部が形成され、且つ、
前記凹部のポケット側端部が円周方向においてポケット口元部と同一線上か、あるいは同一線状を越えて前記ポケットまで形成されていることを特徴とする円筒ころ軸受。
（３）  主軸が（１）又は（２）に記載の円筒ころ軸受により回動自在に支持されることを特徴とする工作機械用主軸装置。 
【発明の効果】
【００１４】
本発明の円筒ころ軸受によれば、保持器は、ポケットの外径側開口を形成する、隣り合う柱部の各円周方向端部に、円筒ころをポケット内に挿入可能にする際に弾性変形すると共に、円筒ころの脱落を防止するころ係止部を有し、保持器は、少なくとも３箇所の柱部の外周面で、且つ、柱部の円周方向両端部の各ころ係止部間に、リム部の外周面より径方向に突出する案内部を有し、該案内部により軌道輪案内される。これにより、保持器のポケット内への円筒ころの挿入性を確保しつつ、潤滑剤の排出をスムーズに行うことができ、異常昇温や温度の脈動を抑制することができる。
また、案内部の外周面は、保持器の中心を曲率中心とした円弧面に沿って形成されているが、各ころ係止部は、案内部から離間した位置で、リム部の外周面から径方向に突出して形成されているので、ころ係止部の剛性が下がり、円筒ころを組み込む際にころ係止部が変形しやすくなる。
あるいは、案内部の軸方向幅は、ポケットの軸方向幅以下に設定され、案内部と各ころ係止部との間の柱部の外周面には、案内部の軸方向幅より小さい軸方向幅を有する凹部が形成され、且つ、凹部のポケット側端部が円周方向においてポケット口元部と同一線上か、あるいは同一線状を越えてポケットまで形成されていることでも、ころ係止部の剛性が下がり、円筒ころを組み込む際にころ係止部が変形しやすくなる。
【００１５】
また、本発明の工作機械用主軸装置によれば、主軸が、異常昇温や温度の脈動が抑制された本発明の円筒ころ軸受によって回動自在に支持されるので、工作機械主軸装置の加工精度を高いレベルに保つことが可能である。
【図面の簡単な説明】
【００１６】
【図１】本発明の第１実施形態に係る円筒ころ軸受が適用される工作機械用主軸装置を示す縦断面図である。
【図２】図１の円筒ころ軸受の断面図である。
【図３】（ａ）は、保持器の部分上面図であり、（ｂ）は、（ａ）のＩＩＩ−ＩＩＩ線に沿った断面図である。
【図４】本発明の第２実施形態に係る円筒ころ軸受の保持器を示し、（ａ）は、保持器の部分上面図であり、（ｂ）は、（ａ）のＩＶ−ＩＶ線に沿った断面図である。
【図５】図４の保持器に対して、凹部の軸方向幅を変更した保持器の変形例を示し、（ａ）は、保持器の部分上面図であり、（ｂ）は、（ａ）のＶ−Ｖ線に沿った断面図である。
【図６】本発明の第３実施形態に係る円筒ころ軸受の保持器を示し、（ａ）は、保持器の部分上面図であり、（ｂ）は、（ａ）のＶＩ−ＶＩI線に沿った断面図である。
【図７】図６の保持器に対して、案内部の形状を変更した保持器の他の変形例を示し、（ａ）は、保持器の部分上面図であり、（ｂ）は、（ａ）のＶＩＩ−ＶＩＩ線に沿った断面図である。
【図８】図６の保持器に対して、案内部の形状を変更した保持器の更に他の変形例を示し、（ａ）は、保持器の部分上面図であり、（ｂ）は、（ａ）のＶＩＩＩ−ＶＩＩＩ線に沿った断面図である。
【図９】図３の保持器に対して、案内部の数を変更した変形例であり、（ａ）は、保持器の部分上面図であり、（ｂ）は、（ａ）のＩＸ−ＩＸ線に沿った断面図である。
【図１０】外輪案内型の保持器が適用された他の円筒ころ軸受の断面図である。
【図１１】従来の円筒ころ軸受の断面図である。
【図１２】（ａ）は、図１１の保持器の部分上面図であり、（ｂ）は、（ａ）のＸＩＩ−ＸＩＩ線に沿った断面図である。
【発明を実施するための形態】
【００１７】
以下、本発明に係る円筒ころ軸受及びそれを用いた工作機械用主軸装置の各実施形態を図面に基づいて詳細に説明する。
【００１８】
（第１実施形態）
図１は、本発明の円筒ころ軸受が適用される工作機械用主軸装置の縦断面図である。図１に示すように、主軸装置１０の主軸１１は、転がり軸受であるアンギュラ玉軸受１２及び円筒ころ軸受１によって主軸ハウジング１３内に支持されている。
【００１９】
主軸ハウジング１３は、ハウジング本体１４と、ハウジング本体１４の前端（図中左側）に内嵌固定された前側軸受ハウジング１５と、ハウジング本体１４の後側（図中右側）に内嵌固定された後側軸受ハウジング１６と、前側軸受ハウジング１５の端部に設けられた外輪押さえ部材１７と、後側軸受ハウジング１６の後部に設けられたカバー１９と、を備える。
【００２０】
主軸１１は、前側軸受ハウジング１５に内嵌する２つのアンギュラ玉軸受１２，１２と、後側軸受ハウジング１６の内側に設けられたスリーブ１８に内嵌する１つの円筒ころ軸受１に支持されることにより、主軸ハウジング１３に対して回転自在に支承されている。２つのアンギュラ玉軸受１２，１２の外輪間、及び外輪の軸方向外側には、複数の外輪間座２０が配置されており、また内輪間、及び内輪の軸方向外側には、複数の内輪間座２１が配置されている。さらに、円筒ころ軸受１の外輪２（図２参照。）の軸方向両側にも、複数の外輪間座３０，３０が配置されており、内輪３（図２参照。）の軸方向両側にも複数の内輪間座３１，３１が配置されている。
【００２１】
主軸１１の軸方向の略中央部には、ロータ４０が外嵌固定されている。ロータ４０の外周面側には、ステータ４１が所定距離離れて同軸配置されている。ステータ４１は、ステータ４１の外周面側に配置されたステータ固定部材４２を介してハウジング本体１４に固定されている。ハウジング本体１４とステータ固定部材４２との間には、主軸１１の周方向に沿う方向に溝４３が形成されている。この複数の溝４３内には、ステータ４１の冷却用の冷媒が流される。
【００２２】
同様に、ハウジング本体１４と前側軸受ハウジング１５との間であって、アンギュラ玉軸受１２の外周側にあたる部位には、ハウジング及び軸受冷却用の冷媒が流される溝４４が形成されている。
【００２３】
また、２つのアンギュラ玉軸受１２，１２及び円筒ころ軸受１は、グリースによって潤滑され、ハウジング本体１４、前側軸受ハウジング１５及び後側軸受ハウジング１６には、グリースを装置外に排出するためのグリース排出路４５が形成されている。なお、これらの軸受１２，１２，１は、潤滑装置を用いて軸受外部からグリースを軸受に補給するグリース補給潤滑であってもよいが、本実施形態では、予め軸受内部に封入されたグリースによって軸受１２，１２，１を潤滑するグリース潤滑が行われている。
【００２４】
図２に示す円筒ころ軸受１は、内周面に外輪軌道面２ａが形成される鍔無しの外輪２と、外周面に内輪軌道面３ａが形成されると共に、内輪軌道面３ａの両側に鍔部３ｂを有する内輪３と、外輪軌道面２ａと内輪軌道面３ａとの間に転動自在に配置された複数の円筒ころ４と、複数の円筒ころ４を回転自在にそれぞれ保持する複数のポケット５ｃを形成する外輪案内型の保持器５と、を備える。
【００２５】
図３にも示すように、保持器５は、環状の一対のリム部５ａ及び一対のリム部５ａを軸方向に連結する複数の柱部５ｂを有し、樹脂材料を射出成形することで形成される。ポケット５ｃの外径側開口を形成する、隣り合う柱部５ｂの各円周方向端部には、円筒ころ４をポケット５ｃ内に挿入する際に弾性変形すると共に、ポケット５ｃ内に収容された円筒ころ４の脱落を防止するころ係止部５ｂ１が設けられる。なお、このポケット５ｃの外径側の円周方向開口幅Ｗは、円筒ころ４の直径に対して０．０５ｍｍ〜０．５ｍｍ程度だけ小さくしており、ころ係止部５ｂ１の弾性変形により、ある一定の圧力で円筒ころ４を挿入可能としている。
【００２６】
また、保持器５は、各柱部５ｂの外周面で、且つ、各柱部５ｂの円周方向両端部の両ころ係止部５ｂ１間に、リム部５ａの外周面より径方向外側に突出する複数の案内部６を有し、これら案内部６により外輪案内される。案内面６ａを構成する案内部６の外周面は、保持器５の中心を曲率中心とした円弧面に沿って形成され、外輪軌道面２ａと案内面６ａとの間の案内隙間（直径隙間）ｇを０．２０〜１．０ｍｍとしている。
【００２７】
ころ係止部５ｂ１は、案内部６から円周方向に離れて設けられているので、金属材料や高強度の樹脂材料を保持器５に使用した場合であっても、このころ係止部５ｂ１の強度が強すぎて、円筒ころ４が挿入できない、または、ころ係止部５ｂ１に塑性変形や欠けなどの不具合が発生することを防止することができる。
【００２８】
従って、図３（ｂ）に示すように、案内部６の円周方向幅Ｍ１は、柱部５ｂの円周方向幅Ｍ２よりも狭く設計され、案内部６の円周方向側面と柱部５ｂの外周面との境界部分７にグリース溜りＧ１が形成される。このように、案内部６の円周方向幅Ｍ１を狭くすることで、外輪軌道面２ａとの摩擦が減少して軸受寿命を向上することができ、また、グリース溜りＧ１によって潤滑寿命を向上することができる。
【００２９】
案内部６の軸方向幅Ｍは、ポケット５ｃの軸方向幅Ｐ以下に設定されればよいが、円筒ころ４の軸方向幅Ｌよりも該軸方向幅Ｌとポケット５ｃの軸方向幅Ｐとの差：ΔＰ（ΔＰ＝Ｐ−Ｌ）だけ小さくした値以下に設定されることが好ましい（即ち、Ｍ≦Ｌ−ΔＰ）。この場合、保持器５がポケット５ｃのすきま分だけ軸方向に移動しても、保持器５によるグリースの掻き取りがなく、円筒ころ４の近傍にグリースを保持することができる。
【００３０】
一方、案内部６の軸方向幅Ｍは、保持器５の傾きによる案内部６の偏当りを考えると、好ましくは、円筒ころ４の軸方向幅Ｌの１／３以上、より好ましくは軸方向幅Ｌの１／２以上であることが好ましい。
【００３１】
このように構成された円筒ころ軸受１では、柱部５ｂの外周面に案内部６を設けたことで、グリースの排出をスムーズに行うことができ、異常昇温を抑制することができ、安定した運転が可能となる。また、グリースをならし運転する際の時間も短縮化することができる。さらに、工作機械を長時間使用していない場合に、グリースが軸受内部に溜まっても、グリースの排出がよくなり、軸受が異常昇温により破損する可能性が少なくなる。
【００３２】
また、本実施形態の円筒ころ軸受１は、保持器１０５の案内部１０６が円筒ころ１０４の軸方向両側近傍に位置する、図１１に示すような円筒ころ軸受１０１に比べて、円筒ころ４の近傍にグリース溜りＧを形成することができ、グリースを外輪軌道面２ａを介して円筒ころ４に導きやすく、油膜切れの発生を抑制することができる。グリースは、増ちょう剤の中に基油を含んだ状態なので、昇温等の作用が加わると、基油はグリース内をある程度移動することができ、グリース溜りＧが外輪軌道面２ａとつながっていると、表面張力効果や濡れ性効果も作用して、グリースを外輪軌道面２ａと円筒ころ４の転動面との転がり接触部へと導きやすく、油膜切れの発生を抑制することができる。また、本実施形態では、軸受内部にグリース溜りＧを大きく確保することができ、より多くのグリースを軸受内部に残存できる。従って、本実施形態のような封入グリースによるグリース潤滑であっても、十分な潤滑寿命を確保することができる。
【００３３】
さらに、工作機械用主軸装置１０の主軸１１としては内輪回転の場合が主であり、主軸１１の温度分布としては、回転側部材（内輪側）の温度が静止側部材（外輪側）の温度より高くなる。また、本実施形態のような、主軸１１の前側軸受（固定側）と後側軸受（自由側）との間にモータを設けた所謂、モータビルトイン主軸の場合、モータの発熱の影響が付加される。本実施形態の円筒ころ軸受１は、図１１に示す円筒ころ軸受１０１に比べ、外輪２に対する内輪３のスライド許容量を増加することができるので（Δr1＜Δr2）、主軸１１が温度上昇により膨張して外輪２に対して内輪３が主軸後方に移動したとしても、保持器５の案内部６が外輪軌道面２ａから外れてしまうのを防止することができる。
【００３４】
また、本実施形態では、案内部６は、柱部５ｂの円周方向両端部の各ころ係止部５ｂ１間に、ころ係止部５ｂ１から離れて設けられているので、保持器５のポケット５ｃ内への円筒ころ４の挿入性を確保することができる。さらに、案内部６と柱部５ｂとの境界部分７に形成されるグリース溜りＧ１によって、潤滑寿命を向上することができる。
【００３５】
（第２実施形態）
次に、本発明の第２実施形態に係る円筒ころ軸受について、図４を参照して説明する。なお、本実施形態は、保持器５の形状において第１実施形態と異なるのみであるため、同一または同等部分については同一符号を付して、説明を省略或いは簡略化する。
【００３６】
本実施形態の保持器５では、第１実施形態の保持器５に対して、案内部６と各ころ係止部５ｂ１との間の柱部５ｂの外周面に、案内部６の軸方向幅以下の軸方向幅を有する凹部６ｂが形成されている。この実施形態では、凹部６ｂは、案内部６の円周方向側面に沿って径方向内側に凹むように形成されており、即ち、案内部６と柱部５との境界部分に凹部６ｂによるグリース溜りＧ１を構成する。
【００３７】
従って、この保持器５では、凹部６ｂにグリースが溜り、グリースがにじみでてくることによる潤滑寿命の向上を期待することができる。また、ころ係止部５ｂ１の剛性もさらに下がるので、円筒ころ４を組み込む際にころ係止部５ｂ１が変形しやすくなり、ころ挿入性を向上することができる。
【００３８】
なお、図４に示す実施形態では、凹部６ｂは、案内部６の軸方向幅と等しい軸方向幅を有しているが、図５に示すように、案内部６の軸方向幅より小さい軸方向幅とし、円周方向幅を大きくするように形成してもよい。この場合、凹部６ｂのポケット側端部６ｂ１が円周方向においてポケット口元部５ｃ１と同一線上か、あるいは、該同一線上を越えてポケット５ｃ側まで形成されるようにしてもよい。これにより、ころ係止部５ｂ１の剛性がより低下し、ころ挿入性をさらに向上することができる。また、図５においても、凹部６ｂにグリースが溜り、グリースがにじみでてくることによる潤滑寿命の向上を期待することができる。
【００３９】
（第３実施形態）
次に、本発明の第３実施形態に係る円筒ころ軸受について、図６を参照して説明する。なお、本実施形態においても、保持器５の形状において第１実施形態と異なるのみであるため、同一または同等部分については同一符号を付して、説明を省略或いは簡略化する。
【００４０】
上記実施形態の保持器５では、ころ係止部５ｂ１は、リム部５ａの外径と同一径の柱部５ｂの外周面とポケット５ｃの円周方向側面との間に形成されていたが、本実施形態の保持器５では、ころ係止部５ｂ１は、柱部５ｂの外周面から径方向外方に突出して形成されている。これにより、ころ係止部５ｂ１は、案内部６からより離間した位置となり、ころ係止部５ｂ１の剛性が下がり、弾性変形しやすくすることができる。
【００４１】
なお、本発明は、前述した各実施形態に限定されるものでなく、適宜、変形、改良等が可能である。
【００４２】
上記実施形態では、案内部６は、軸方向中間部から軸方向両側に連続して形成されていたが、例えば、図７に示す実施形態のように、軸方向両側に一対の案内部６がそれぞれ形成されてもよい。また、図８に示すように、一対の案内部６は、ポケット５ｃの口元部５ｃ１まで円周方向に連続して形成されてもよい。
【００４３】
上記実施形態では、案内部６は、全ての柱部５ｂに設けられているが、円周方向に等間隔で少なくとも３箇所の柱部５ｂに設けられればよく、例えば、図９に示すように、案内部６は、１つおきの柱部５ｂに設けられてもよい。
【００４４】
さらに、本発明は、図１０に示すように、内周面に外輪軌道面２ａ及び鍔部２ｂが形成される外輪２と、外周面に内輪軌道面３ａが形成される鍔無しの内輪３と、を有する円筒ころ軸受１において、外輪軌道面２ａと両側の鍔部２ｂによって形成される軌道溝内に配置される外輪案内型の保持器５を有する構成であってもよい。
【００４５】
本発明の工作機械用主軸装置１０では、モータの前側に２つのアンギュラ玉軸受１２，１２を配置し、後側に１つの円筒ころ軸受１を配置した例を挙げたが、使用される軸受は上記の配列、個数に限定されるものではなく、任意に設定可能である。例えば、モータの前側に１つの円筒ころ軸受と２つのアンギュラ玉軸受を配置し、後側に１つの円筒ころ軸受を配置してもよく、また、前側に４つのアンギュラ玉軸受を配置し、後側に１つの円筒ころ軸受を配置してもよい。
【００４６】
また、アンギュラ玉軸受１２，１２及び円筒ころ軸受１を潤滑する潤滑剤としては、本実施形態のようなグリースに限定されるものでなく、潤滑油であってもよい。
【符号の説明】
【００４７】
１  円筒ころ軸受
２  外輪
２ａ  外輪軌道面
３  内輪
３ａ  内輪軌道面
４  円筒ころ
５  保持器
５ａ  リム部
５ｂ  柱部
５ｂ１  ころ係止部
５ｃ  ポケット
６  案内部
６ａ  案内面
６ｂ  凹部
１０  主軸装置
１１  主軸
Ｇ１  グリース溜り
【図１】
0005691490.tif 000002
【図２】
0005691490.tif 000003
【図３】
0005691490.tif 000004
【図４】
0005691490.tif 000005
【図５】
0005691490.tif 000006
【図６】
0005691490.tif 000007
【図７】
0005691490.tif 000008
【図８】
0005691490.tif 000009
【図９】
0005691490.tif 000010
【図１０】
0005691490.tif 000011
【図１１】
0005691490.tif 000012
【図１２】
0005691490.tif 000013